(57)【要約】【課題】耐候性試験機用湿度発生器において、効率良く、かつ高速に蒸気を発生及び供給すると共に、任意の方向に蒸気を供給する湿度発生器を提供すること。【解決手段】湿度発生器の上部を角錐形の上蓋とし、発生した蒸気の上昇気流を最適勾配に設計した角錐上蓋に沿って、流体的に円滑に上部に案内し、効率良く、かつ高速に角錐形の上蓋上部に設けた蒸気送気用開口部に導く形状で、その先に可撓性の蒸気案内管を取付けた構造になっている。【選択図】図3  
0003114533.tif 000002
【実用新案登録請求の範囲】
【請求項１】
耐候試験機用の急速に湿度調整可能な方式の湿度発生器であって、上部を61~80°傾斜させた角錐形とし、蒸気発生を集中的に可能とする湿度発生器。
【請求項２】
発生した蒸気を、61~80°の傾斜に沿って上昇させ、高速に蒸気発生させる請求項1記載の湿度発生器。
【請求項３】
ヒータ容量は蒸気が効率的に発生するため、従来の約3分の1ですむ、請求項2記載の湿度発生器。
【請求項４】
湿度発生器上部から送気するための配管ハ゜イフ゜がフレキシフ゛ルに設定できる請求項3記載の湿度発生器。
【考案の詳細な説明】
【技術分野】
【０００１】
耐候性試験機用湿度発生器に関する。
【背景技術】
【０００２】
従来、耐候性試験機に用いられる湿度発生器は、天井が平坦な、長方形の容器に、発熱体を当該容器の底部に設置し、容器内に水などの液体を、当該発熱体上部まで満たし、加熱することにより液体を蒸発させ、この蒸気を天井部に設けた蒸気送気用の開口部より、送気する構造である(特許文献1参照)。
【特許文献１】特開2002-214119号公報
【０００３】
容器は、銅板、ステンレス板、フ゜ラスチック製等を用いる。
【考案の開示】
【考案が解決しようとする課題】
【０００４】
従来の湿度発生器においては、天井部が平坦な形状になっており、発生した蒸気が容器中に滞留するために、蒸気発生の性能が劣るとともに、耐候性試験機への送気がスムースに行かず、時間もかかるという問題があった。このため、所期の性能を得るために、容器を大型にするか、あるいは、発熱体の発熱量が大きく、かつ寿命の長いものを装着しなければならないという問題があった。
【０００５】
本考案はかかる問題を鑑みてなされたものであり、したがって本考案の目的は、発生した蒸気の上昇気流のエネルキ゛を生かすことを十分に考慮した、流体的に最適な形状に工夫をこらし、また、上昇気流をスムースに効率よく上昇させるようにした耐候性試験機の湿度発生器を提供することにある。
【０００６】
本考案者は上記の目的を達成するために鋭意研究を重ね、また、試行錯誤の結果、本考案を完成するに至った。
【課題を解決するための手段】
【０００７】
上記目的を達成するために、本考案の湿度発生器は、従来の容器の形状とは異なり、蒸気の上昇気流を有効に蒸気送気用開口部に導くように傾斜させた形状に設計したものである。すなわち、上部の形状を四角錐形状とし、その最適傾斜角度としては、61から80度の範囲内であり、その頂部に蒸気送気用開口部を設けたことを特徴とするものである。
【０００８】
また、本考案は、容器の上部形状を四角錐形状にしたことにより、蒸気発生効率が向上するので、従来よりも小容量の発熱体を装着できる特徴をもつものである。
【０００９】
また、本考案は、容器の上部形状を四角錐形状にしたことにより、蒸気発生効率が向上し、従来よりも小容量の容器でよいことになり、湿度気発生器が小型であることを特徴とするものである。
【００１０】
また、蒸気送気用に配管を可撓性のものを用いることによって、耐候性試験機の任意の位置に蒸気を供給できることを特徴とするものである。
【考案の効果】
【００１１】
本考案の湿度発生器は、上述したとおり、従来の湿度発生器より高性能、かつ小型であるために、本装置を必要とする耐候性試験機に装着する場合に、蒸気を効率よく供給するとともに、装着スヘ゜ースも従来のものより少なくてすむ。
【考案を実施するための最良の形態】
【００１２】
本考案の最良の実施例について、以下に図および表を用いて述べる。
【実施例１】
【００１３】
図1は、本考案の湿度発生器の実施例1の構成図である。本考案の実施例1の湿度発生器(11)では、容器(1)の中にヒータ(2)、洗浄用ノス゛ル(3)、上限水位調節計(4)、下限水位調節計(5)を配し、水供給口(6)、水オーハ゛ーフロー口(7)、角錐形上蓋(8)を取付けたことにより、効率よく、蒸気を発生させると共に供給することができる。
【００１４】
図2は、従来の天井部が平板状の湿度発生器であり、本実施例1と従来の装置との性能比較を行った結果を表1に示す。
【００１５】
【表１】
0003114533.tif 000003
【００１６】
表1から明らかなように、実施例1の結果は高性能であった。
【実施例２】
【００１７】
図3は、蒸気送気用開口部に可撓性の蒸気案内管を取付けた構成図である。
【００１８】
実施例1の湿度発生器の上部に可撓性の蒸気案内管を設けている。
【００１９】
したがって、本実施例2では、高性能の湿度発生器であるため、上蓋から可撓性の蒸気案内管を長くすることが可能である。
【００２０】
したがって、本実施例2では、可撓性の蒸気案内管を設けているので、任意の位置に蒸気を供給することが可能である。
【００２１】
従来の湿度発生器と本考案の湿度発生器はそれぞれ図4及び図5に示すように耐候性試験機に設けられている。
【図面の簡単な説明】
【００２２】
【図１】本考案の角錐形の湿度発生器の実施例1の構成図である。
【図２】従来の湿度発生器の構成図である。
【図３】本考案の角錐形の湿度発生器に可撓性蒸気案内管を設けた実施例2の構成図である。
【図４】本考案の湿度発生器を耐候性試験機に取付けた例である。
【図５】従来の湿度発生器を耐候性試験機に取付けた例である。
【符号の説明】
【００２３】
1 容器
2 ヒータ
3 洗浄用ノス゛ル
4 上限水位調節計
5 下限水位調節計
6 水供給口
7 水オーハ゛ーフロー口
8 角錐形上蓋
9 水排水口
10 蒸気送気用開口部
11 角錐形湿度発生器
12 ヒータ
13 従来の湿度発生器の蒸気口
14 水
15 従来の湿度発生器
16 可撓性蒸気案内管
17 可撓性蒸気案内管を取付けた角錐形湿度発生器
18 角錐形湿度発生器付き耐候性試験機
19 従来の湿度発生器付き耐候性試験機
【図１】
0003114533.tif 000004
【図２】
0003114533.tif 000005
【図３】
0003114533.tif 000006
【図４】
0003114533.tif 000007
【図５】
0003114533.tif 000008
【手続補正書】
【提出日】平成17年7月22日(2005.7.22)
【手続補正１】
【補正対象書類名】実用新案登録請求の範囲
【補正対象項目名】全文
【補正方法】変更
【補正の内容】
【実用新案登録請求の範囲】
【請求項１】
耐候試験機用の急速に湿度発生及び調整可能な湿度発生器で、下部が直方体形状の容器で、その底部に液体を貯留し、発熱体を浸漬させ、該発熱体によって液体を加熱して蒸発させる構造とし、該容器の上部は、その上方に蒸気を案内するために角錐状の側壁を配し、その頂部に蒸気送気用開口部を有する構造で、蒸気を効率的に耐候試験機へ導くことを特徴とする湿度発生器。
【請求項２】
上部の角錐の傾斜を６１〜８０度として、高速で効率的に蒸気発生させることを特徴とする請求項１に記載の湿度発生器。
【請求項３】
蒸気が効率的に発生するため、従来の湿度発生器に比べ発熱体容量が約２分の１ですむことを特徴とする請求項１及び２のいずれかに記載の湿度発生器。
【請求項４】
蒸気送気用開口部から耐候試験機に送気するための配管パイプが、フレキシブルに設定できる請求項３に記載の湿度発生器。
【手続補正２】
【補正対象書類名】明細書
【補正対象項目名】０００１
【補正方法】変更
【補正の内容】
【０００１】 耐候試験機用湿度発生器に関する。
【手続補正３】
【補正対象書類名】明細書
【補正対象項目名】０００２
【補正方法】変更
【補正の内容】
【０００２】  従来、耐候試験機に用いられる湿度発生器は、直方体の容器に、発熱体を当該容器の底部に設置し、容器内に水などの液体を当該発熱体上部まで満たし、加熱することにより液体を蒸発させ、この蒸気を上部に設けた蒸気送気用の開口部より、送気する構造である（特許文献１参照）。
【手続補正４】
【補正対象書類名】明細書
【補正対象項目名】０００４
【補正方法】変更
【補正の内容】
【０００４】  従来の湿度発生器においては、上部が平坦な形状になっており、発生した蒸気が容器中に滞留するために、蒸気発生の性能が劣るとともに、耐候試験機への送気がスムースに行かず、時間もかかるという問題があった。このため、所期の性能を得るために、容器を大型にするか、あるいは、発熱体の発熱量が大きく、かつ寿命の長いものを装着しなければならないという問題があった。
【手続補正５】
【補正対象書類名】明細書
【補正対象項目名】０００５
【補正方法】変更
【補正の内容】
【０００５】  本考案はかかる問題を鑑みてなされたものであり、したがって本考案の目的は、発生した蒸気の上昇気流のエネルギーを生かすことを十分に考慮した、流体的に最適な形状に工夫をこらし、上昇気流をスムースに効率よく上昇させるようにした耐候試験機の湿度発生器を提供することにある。
【手続補正６】
【補正対象書類名】明細書
【補正対象項目名】０００７
【補正方法】変更
【補正の内容】
【０００７】  上記目的を達成するために、本考案の湿度発生器は、従来の容器の形状とは異なり、蒸気の上昇気流を有効に蒸気送気用開口部に導くように上部の形状に工夫をこらしたものである。すなわち、下部を、従来の形状と同一の直方体とし、それに続く上部の形状を四角錐形状とし、その最適傾斜角度としては、６１から８０度の範囲内であり、その頂部に蒸気送気用開口部を設けたことを特徴とするものである。
【手続補正７】
【補正対象書類名】明細書
【補正対象項目名】００１０
【補正方法】変更
【補正の内容】
【００１０】  また、蒸気送気用に配管を可撓性のものを用いることによって、耐候試験機の任意の位置に蒸気を供給できることを特徴とするものである。
【手続補正８】
【補正対象書類名】明細書
【補正対象項目名】００１１
【補正方法】変更
【補正の内容】
【００１１】  本考案の湿度発生器は、上述したとおり、従来の湿度発生器より高性能、かつ小型であるために、本装置を必要とする耐候試験機に装着する場合に、蒸気を効率よく供給するとともに、装着スペースも従来のものより少なくてすむ。
【手続補正９】
【補正対象書類名】明細書
【補正対象項目名】００１３
【補正方法】変更
【補正の内容】
【００１３】  図1は、本考案の湿度発生器の実施例１の構成図である。本考案の実施例１の湿度発生器（１１）では、容器（１）の中にヒータ（２）、洗浄用ノズル（３）、上限水位調節器（４）、下限水位調節器（５）を配し、水供給口（６）、水オーバーフロー口（７）、角錐形蒸気案内壁（８）を取付けたことにより、効率よく、蒸気を発生させると共に供給することができる。
【手続補正１０】
【補正対象書類名】明細書
【補正対象項目名】００１４
【補正方法】変更
【補正の内容】
【００１４】図２は、従来の直方体型容器の上部が平板状の湿度発生器であり、本実施例１と従来の装置との性能比較を行なった結果を表１に示す。
【手続補正１１】
【補正対象書類名】明細書
【補正対象項目名】００１９
【補正方法】変更
【補正の内容】
【００１９】  したがって、本実施例２では、高性能の湿度発生器であるため、蒸気送気用開口部から可撓性の蒸気案内管を長くすることが可能である。
【手続補正１２】
【補正対象書類名】明細書
【補正対象項目名】００２１
【補正方法】変更
【補正の内容】
【００２１】  従来の湿度発生器と本考案の湿度発生器はそれぞれ図４及び図５に示すように耐候試験機に設けられている。
【手続補正１３】
【補正対象書類名】明細書
【補正対象項目名】００２２
【補正方法】変更
【補正の内容】
【００２２】
【図１】本考案の上部が角錐形の湿度発生器の実施例１の構成図である。
【図２】従来の湿度発生器の構成図である。
【図３】本考案の上部が角錐形の湿度発生器に可撓性蒸気案内管を設けた実施例２の構成図である。
【図４】本考案の湿度発生器を耐候試験機に取り付けた例である。
【図５】従来の湿度発生器を耐候試験機に取り付けた例である。
【手続補正１４】
【補正対象書類名】明細書
【補正対象項目名】００２３
【補正方法】変更
【補正の内容】
【００２３】  １  容器  ２  ヒータ  ３  洗浄用ノズル  ４  上限水位調節器  ５  下限水位調節器  ６  水供給口  ７  水オーバーフロー口  ８  角錐形蒸気案内壁  ９  水排水口１０  蒸気送気用開口部１１  上部が角錐形の湿度発生器１２  ヒータ１３  従来の湿度発生器の蒸気口１４  水１５  従来の湿度発生器１６  可撓性蒸気案内管１７  可撓性蒸気案内管を取付けた上部が角錐形湿度発生器１８  上部が角錐形湿度発生器付き耐候試験機１９  従来の湿度発生器付き耐候試験機